(57)【要約】【課題】カラーホイールを使用する画像表示装置において、さまざまな内容の画像の表示に適した色の再現を行う。【解決手段】画像表示装置１は、光源１０と、回転軸Ａｘから距離ｒ１の位置に設けられる第１の色系列部３１０と、回転軸Ａｘから距離ｒ２の位置に設けられる第２の色系列部３２０と、を備えるカラーホイール３０と、カラーホイールの位置を変化させて、光が第１の色系列部３１０に照射される第１の状態と、光が第２の色系列部３２０に照射される第２の状態と、を切り換える切換部５０と、表示すべき画像に応じて光に強弱の変化を付すことができる画像形成部７０と、を備える。第１の色系列部３１０は、第１の色系列のｎ個（ｎは２以上の整数）の色の光を射出するためのｎ個の第１の単色部を備え、第２の色系列部３２０は、第２の色系列のｍ個（ｍは２以上の整数。ｎ≠ｍ）の色の光を射出するためのｍ個の第２の単色部を備える。【選択図】図１
2009222741.tif 000002
【特許請求の範囲】
【請求項１】
画像表示装置であって、
光を射出する光源と、
前記光源が射出した前記光を受けて複数の色の光を順に射出するカラーホイールであって、前記カラーホイールの回転軸から第１の距離を有する位置に設けられ第１の色系列の色の光を射出するための第１の色系列部と、前記回転軸から前記第１の距離とは異なる第２の距離を有する位置に設けられ、第２の色系列の色の光を射出するための第２の色系列部と、を備えるカラーホイールと、
前記光源が射出した前記光に対する前記カラーホイールの相対位置を変化させることにより、前記光が前記第１の色系列部に照射される第１の状態と、前記光が前記第２の色系列部に照射される第２の状態と、を切り換えることができる切換部と、
前記光源が射出した前記光を受けて、前記光の一部を射出せず、他の一部を射出することによって、表示すべき画像に応じて前記光に強弱の変化を付すことができる画像形成部と、を備え、
前記第１の色系列部は、
前記第１の色系列のｎ個（ｎは２以上の整数）の色の光を射出するためのｎ個の第１の単色部であって、それぞれが１色の光を射出するｎ個の第１の単色部を備え、
前記第２の色系列部は、
前記第２の色系列のｍ個（ｍは２以上の整数であって、ｎとは異なる数）の色の光を射出するためのｍ個の第２の単色部であって、それぞれが１色の光を射出するｍ個の第２の単色部を備える、画像表示装置。
【請求項２】
請求項１記載の画像表示装置であって、
前記ｎ個の第１の単色部は、
白色光を射出するための白色部と、
互いに異なる複数の有彩色の光を射出するための複数の第１の有彩色部と、を含み、
前記ｍ個の第２の単色部は、
白色光を射出するための白色部を含まず、
互いに異なる複数の有彩色の光を射出するための複数の第２の有彩色部を含む、画像表示装置。
【請求項３】
請求項２記載の画像表示装置であって、
前記第１の有彩色部は、
赤の光を射出するための第１の赤部と、
緑の光を射出するための第１の緑部と、
青の光を射出するための第１の青部と、を含み、
前記第２の有彩色部は、
赤の光を射出するための第２の赤部と、
緑の光を射出するための第２の緑部と、
青の光を射出するための第２の青部と、を含み、
前記画像形成部は、
前記第１の状態において白色を表現する際には、互いに対応する部分について、前記第１の赤部による前記赤の光と、前記第１の緑部による前記緑の光と、前記第１の青部による前記青の光と、前記白色部による前記白色光と、を連続して射出し、
前記第２の状態において白色を表現する際には、互いに対応する部分について、前記第２の赤部による前記赤の光と、前記第２の緑部による前記緑の光と、前記第２の青部による前記青の光と、を連続して射出する、画像表示装置。
【請求項４】
請求項２記載の画像表示装置であって、
前記カラーホイールは、さらに、前記回転軸から前記第１および第２の距離とは異なる第３の距離を有する位置に設けられ、複数の無彩色を含む第３の色系列の色の光を射出するための第３の色系列部を備え、
前記切換部は、前記光源が射出した前記光に対する前記カラーホイールの相対位置を変化させることにより、前記光が前記第３の色系列部に照射される第３の状態と、前記第１の状態と、前記第２の状態と、を切り換えることができる、画像表示装置。
【請求項５】
画像表示装置であって、
光を射出する光源と、
前記光源が射出した前記光を受けて複数の色の光を順に射出するカラーホイールであって、前記カラーホイールの回転軸から第１の距離を有する位置に設けられ第１の色系列の色の光を射出するための第１の色系列部と、前記回転軸から前記第１の距離とは異なる第２の距離を有する位置に設けられ、第２の色系列の色の光を射出するための第２の色系列部と、を備えるカラーホイールと、
前記光源が射出した前記光に対する前記カラーホイールの相対位置を変化させることにより、前記光が前記第１の色系列部に照射される第１の状態と、前記光が前記第２の色系列部に照射される第２の状態と、を切り換えることができる切換部と、
前記光源が射出した前記光を受けて、前記光の一部を射出せず、他の一部を射出することによって、表示すべき画像に応じて前記光に強弱の変化を付すことができる画像形成部と、を備え、
前記第１の色系列は、複数の無彩色を含み、
前記第２の色系列は、互いに色相が異なる複数の有彩色を含む、画像表示装置。
【請求項６】
請求項５記載の画像表示装置であって、
前記第１の色系列は、有彩色を含まず、第１のグレーと、前記第１のグレーよりも暗い第２のグレーとを含み、
前記第２の色系列は、複数の無彩色を含まず、赤、青、緑を含む、画像表示装置。
【発明の詳細な説明】
【技術分野】
【０００１】
この発明は、カラーホイールを使用する画像表示装置に関する。
【背景技術】
【０００２】
従来、基本色を生成するためにカラーホイールを使用する画像表示装置が存在する。そのような画像表示装置は、たとえば、光源から射出された光にカラーホイールで色を付して、赤、緑、青の３色の色光を時系列に繰り返し生成する。そして、画像表示装置は、多数の微小なミラーを使用してそれらの色光の一部を反射し、その反射光をスクリーンに投射する。その結果、スクリーン上には、赤、緑、青の色光の画像が順に表示される。人間の目には、スクリーン上の画像は、赤、緑、青の色光の画像が重ね合わされたカラー画像として認識される。
【０００３】
ある従来技術においては、カラーホイールは横方向に移動自在であり、かつ異なるフィルターの二つの同軸状リングを有する。第１フィルターリングによって生じるカラーはＲ、ＧおよびＢである。第２フィルターリングによって生じるカラーはＲ’、Ｇ’およびＢ’である。横方向通路に沿うカラーホイールの位置に応じていずれかのフィルターリングが光を濾波する（特許文献１）。
【０００４】
【特許文献１】米国特許第５６５０８３２号公報
【０００５】
しかし、上記の画像表示装置においては、どのような構成のフィルターリングを組み合わせるべきであるかについては考慮されていなかった。カラーホイールの構成については、固定された色の複数の色光を順に生成するカラーホイールを使用して画像を表示する画像表示装置において広く問題となりうる。
【発明の開示】
【発明が解決しようとする課題】
【０００６】
本発明は、カラーホイールを使用する画像表示装置において、さまざまな内容の画像の表示に適した色の再現を行うことを目的とする。
【課題を解決するための手段】
【０００７】
上記の目的の少なくとも一部を取り扱うために、本発明は、一態様としての画像表示装置において、以下のような構成を採用する。すなわち、この画像表示装置は、光を射出する光源と、前記光源が射出した前記光を受けて複数の色の光を順に射出するカラーホイールであって、前記カラーホイールの回転軸から第１の距離を有する位置に設けられ第１の色系列の色の光を射出するための第１の色系列部と、前記回転軸から前記第１の距離とは異なる第２の距離を有する位置に設けられ、第２の色系列の色の光を射出するための第２の色系列部と、を備えるカラーホイールと、前記光源が射出した前記光に対する前記カラーホイールの相対位置を変化させることにより、前記光が前記第１の色系列部に照射される第１の状態と、前記光が前記第２の色系列部に照射される第２の状態と、を切り換えることができる切換部と、前記光源が射出した前記光を受けて、前記光の一部を射出せず、他の一部を射出することによって、表示すべき画像に応じて前記光に強弱の変化を付すことができる画像形成部と、を備え、前記第１の色系列部は、前記第１の色系列のｎ個（ｎは２以上の整数）の色の光を射出するためのｎ個の第１の単色部であって、それぞれが１色の光を射出するｎ個の第１の単色部を備え、前記第２の色系列部は、前記第２の色系列のｍ個（ｍは２以上の整数であって、ｎとは異なる数）の色の光を射出するためのｍ個の第２の単色部であって、それぞれが１色の光を射出するｍ個の第２の単色部を備える、画像表示装置である。
【０００８】
このような態様とすれば、より多くの単色部を備える色系列部に光が照射される状態においては、より少ない単色部を備える色系列部に光が照射される状態では射出し得ない色光を利用して、より広範囲な色を表現することができる。一方、より少ない単色部を備える色系列部に光が照射される状態においては、各色の再現において、使用される色光の種類の変化が少ない。このため、より自然な階調表現を行うことができる。よって、上記の態様によれば、二つの状態を切り換えて、さまざまな内容の画像の表示に適した色の再現を行うことができる。なお、第１の色系列と第２の色系列とは、一部に同じ色を含んでもよい。
【０００９】
なお、前記ｎ個の第１の単色部は、白色光を射出するための白色部と、互いに異なる複数の有彩色の光を射出するための複数の第１の有彩色部と、を含み、前記ｍ個の第２の単色部は、白色光を射出するための白色部を含まず、互いに異なる複数の有彩色の光を射出するための複数の第２の有彩色部を含む、という態様とすることも好ましい。
【００１０】
このような態様とすれば、第１の状態においては、第１の色系列に含まれる複数の有彩色の組み合わせで実現される様々な色に対して、さらに、白色部による光を加えて、画像の色を表現することができる。よって、明度の高い色を再現することができる。
【００１１】
また、第２の状態においては、同一の色相、彩度を有し、明度のみ少しづつ異なる色を再現する際、所定値以上に明るい色の再現において白色光が使用され、所定値以下の明るさの色の再現において白色光が使用されない、という事態が生じない。このため、階調に応じた自然な色の表現をすることができる。
【００１２】
すなわち、上記のような態様とすれば、自然な階調表現を重視すべき画像を表示する場合にも、明るさを重視すべき画像を表示する場合にも、それぞれの画像の表示に適した色の再現を行うことができる。なお、上記態様において、ｍ＜ｎとすることも好ましい。
【００１３】
また、前記第１の有彩色部は、赤の光を射出するための第１の赤部と、緑の光を射出するための第１の緑部と、青の光を射出するための第１の青部と、を含み、前記第２の有彩色部は、赤の光を射出するための第２の赤部と、緑の光を射出するための第２の緑部と、青の光を射出するための第２の青部と、を含み、前記画像形成部は、前記第１の状態において白色を表現する際には、互いに対応する部分について、前記第１の赤部による前記赤の光と、前記第１の緑部による前記緑の光と、前記第１の青部による前記青の光と、前記白色部による前記白色光と、を連続して射出し、前記第２の状態において白色を表現する際には、互いに対応する部分について、前記第２の赤部による前記赤の光と、前記第２の緑部による前記緑の光と、前記第２の青部による前記青の光と、を連続して射出する、という態様とすることも好ましい。
【００１４】
このような態様とすれば、第１の状態においては、白色部による光を加えることによって、第２の状態に比べてより明るい白色を再現することができる。このため、たとえば、白地に文字、表、グラフなどを表示することが多いプレゼンテーションにおいては、第１の状態で画像を表示し、たとえば、芸術作品の紹介や風景など、色の自然な階調表現を重視すべき画像については、第２の状態で画像を表示することができる。その結果、それぞれ表示すべき画像の内容に応じた高品質な表示を行うことができる。
【００１５】
なお、第１の赤部が射出する赤の光と、第２の赤部が射出する赤の光とは、同じスペクトル分布を有する光でなくてもよい。第１の緑部が射出する緑の光と、第２の緑部が射出する緑の光とは、同じスペクトル分布を有する光でなくてもよい。そして、第１の青部が射出する青の光と、第２の青部が射出する青の光とは、同じスペクトル分布を有する光でなくてもよい。
【００１６】
なお、前記カラーホイールは、さらに、前記回転軸から前記第１および第２の距離とは異なる第３の距離を有する位置に設けられ、複数の無彩色を含む第３の色系列の色の光を射出するための第３の色系列部を備え、前記切換部は、前記光源が射出した前記光に対する前記カラーホイールの相対位置を変化させることにより、前記光が前記第３の色系列部に照射される第３の状態と、前記第１の状態と、前記第２の状態と、を切り換えることができる、という態様とすることも好ましい。
【００１７】
このような態様とすれば、無彩色についての明るさの階調表現を重視すべき画像を表示する場合にも、有彩色について自然な階調表現を重視すべき画像を表示する場合にも、明るさを重視すべき画像を表示する場合にも、それぞれの画像の表示に適した色の再現を行うことができる。
【００１８】
なお、本発明の一態様としての画像表示装置は、以下のような構成とすることもできる。すなわち、その画像表示装置は、光を射出する光源と、前記光源が射出した前記光を受けて複数の色の光を順に射出するカラーホイールであって、前記カラーホイールの回転軸から第１の距離を有する位置に設けられ第１の色系列の色の光を射出するための第１の色系列部と、前記回転軸から前記第１の距離とは異なる第２の距離を有する位置に設けられ、第２の色系列の色の光を射出するための第２の色系列部と、を備えるカラーホイールと、前記光源が射出した前記光に対する前記カラーホイールの相対位置を変化させることにより、前記光が前記第１の色系列部に照射される第１の状態と、前記光が前記第２の色系列部に照射される第２の状態と、を切り換えることができる切換部と、前記光源が射出した前記光を受けて、前記光の一部を射出せず、他の一部を射出することによって、表示すべき画像に応じて前記光に強弱の変化を付すことができる画像形成部と、を備え、前記第１の色系列は、複数の無彩色を含み、前記第２の色系列は、互いに色相が異なる複数の有彩色を含む、画像表示装置である。
【００１９】
このような態様とすれば、第１の状態においては、明暗によって対象物が表示される白黒の画像を、複数の無彩色の光を使用して表示することができる。そして、第２の状態においては、異なる色で対象物が表示されるカラー画像を、色相が異なる複数の有彩色の光を使用して表示することができる。よって、上記の画像表示装置によれば、さまざまな内容の画像について、それぞれの画像の表示に適した色の再現を行うことができる。
【００２０】
また、前記第１の色系列は、有彩色を含まず、第１のグレーと、前記第１のグレーよりも暗い第２のグレーとを含み、前記第２の色系列は、複数の無彩色を含まず、赤、青、緑を含む、という態様とすることも好ましい。
【００２１】
カラーホイールの第１の色系列部においては、カラーホイールの回転軸を中心とした一部の角度範囲を有彩色のために使うことがない。このため、モノクロ画像の明るい部分を明るく投射することができる。また、カラーホイールの第２の色系列部においては、カラーホイールの回転軸を中心とした一部の角度範囲を２以上の無彩色のために使うことがない。このため、カラー画像の明るい部分を明るく投射することができる。よって、上記の態様とすれば、無彩色の画像の表現に優れた画像の表示と、有彩色の画像の表現に優れた画像の表示と、を切り換えて実現することができる。
【００２２】
なお、本発明は、種々の形態で実現することが可能であり、例えば、画像表示方法および画像表示装置、画像表示における制御方法および制御装置、それらの方法または装置の機能を実現するためのコンピュータプログラム、そのコンピュータプログラムを記録した記録媒体、そのコンピュータプログラムを含み搬送波内に具現化されたデータ信号、等の形態で実現することができる。
【発明を実施するための最良の形態】
【００２３】
Ａ．第１実施例：
Ａ１．装置の構成：
図１は、第１実施例のプロジェクタ１を示す図である。図１は、第１実施例のプロジェクタ１の第１の状態を示している。図１においては、右側にプロジェクタ１の主な構成を示し、左側にカラーホイール３０と光Ｌが照射される範囲ＬＳの関係を示す。プロジェクタ１は、ランプ１０と、遮光板２０と、カラーホイール３０と、モータ４０と、切換部５０と、光学系６０と、ＤＭＤ（Digital Micro Mirror Device）７０と、光学系８０と、制御部９０と、を有している。
【００２４】
ランプ１０は、高圧水銀ランプである。ランプ１０は、遮光板２０に向かって光Ｌを射出する。ランプ１０が射出する光Ｌは、ほぼ白色の光である。
【００２５】
遮光板２０は、アパチャ２１０を備えている。遮光板２０は、ランプ１０から射出された光Ｌを受けて、その一部にアパチャ２１０を通過させる。アパチャ２１０を通過した光Ｌは、カラーホイール３０に照射される。
【００２６】
図２は、カラーホイール３０の平面図である。カラーホイール３０は、モータ４０（図１参照）によって回転される。カラーホイール３０は、回転軸Ａｘから距離ｒ１の位置に円環状に配される第１の色系列部３１０と、回転軸Ａｘから距離ｒ２（ｒ２＜ｒ１）の位置に円環状に配される第２の色系列部３２０と、を有している。なお、回転軸Ａｘからの距離は、回転軸Ａｘから、各色系列部のうち、光を受けて色光を射出することができる部分までの最短距離で測るものとする。また、図２においては、カラーホイール３０の構成の理解を容易にするため、第１の色系列部３１０と第２の色系列部３２０には、ハッチを付さずに示している（図１参照）。
【００２７】
第１の色系列部３１０と第２の色系列部３２０には、誘電体多層膜が設けられている。その誘電体多層膜によって、第１の色系列部３１０と第２の色系列部３２０に照射された光Ｌには色が付される。なお、第１の色系列部３１０には、照射された光Ｌに色を付さずに透過させる部分も存在する。図２において、ランプ１０が射出する光Ｌが照射されるカラーホイール３０上の領域をＬＳ１，ＬＳ２で示す。プロジェクタ１が第１の状態にあるとき（図１参照）、ランプ１０から射出された光Ｌが照射される範囲ＬＳは、ＬＳ１となる。プロジェクタ１が、後述する第２の状態にあるとき、ランプ１０から射出された光Ｌが照射される範囲ＬＳは、ＬＳ２となる。
【００２８】
第１の色系列部３１０は、それぞれ異なる角度範囲に、それぞれ１色の光を射出する５個の単色部３１１〜３１５を有している。単色部３１１は、ランプ１０から射出された光Ｌを受けて、赤（Ｒ）の光Ｌｃｒを射出する。単色部３１２は、ランプ１０から射出された光Ｌを受けて、緑（Ｇ）の光Ｌｃｇを射出する。単色部３１３は、ランプ１０から射出された光Ｌを受けて、青（Ｂ）の光Ｌｃｂを射出する。単色部３１４は、ランプ１０から射出された光Ｌを受けて、マゼンタ（Ｍ）の光Ｌｃｍを射出する。単色部３１５は、ランプ１０から射出された光Ｌを受けて、白（Ｗ）の光Ｌｃｗを射出する。
【００２９】
なお、各色光Ｌｃｒ，Ｌｃｇ，Ｌｃｂ，Ｌｃｍ，Ｌｃｗの色を区別せずに色光を総称する場合には、符号Ｌｃを用いる。また、本明細書において、単色部３１１〜３１５のうち、有彩色の色光を射出する単色部３１１〜３１４をまとめて「第１の有彩色部」と呼ぶことがある。
【００３０】
第２の色系列部３２０は、それぞれ異なる角度範囲に、それぞれ１色の光を射出する４個の単色部３２１〜３２４を有している。単色部３２１は、ランプ１０から射出された光Ｌを受けて、赤（Ｒ）の光Ｌｃｒを射出する。単色部３２２は、ランプ１０から射出された光Ｌを受けて、青（Ｂ）の光Ｌｃｂを射出する。単色部３２３は、ランプ１０から射出された光Ｌを受けて、緑（Ｇ）の光Ｌｃｇを射出する。単色部３２４は、ランプ１０から射出された光Ｌを受けて、マゼンタ（Ｍ）の光Ｌｃｍを射出する。なお、本明細書において、単色部３２１〜３２４をまとめて「第２の有彩色部」と呼ぶことがある。
【００３１】
モータ４０は、カラーホイール３０の中心に接続されている（図１参照）。モータ４０は、回転軸Ａｘを中心にカラーホイール３０を回転させる（図２の矢印Ａｒ参照）。その結果、カラーホイール３０は、ランプ１０から射出された光Ｌを位置ＬＳ１に受けたときには、赤（Ｒ）、緑（Ｇ）、青（Ｂ）、マゼンタ（Ｍ）、白（Ｗ）の色光Ｌｃｒ，Ｌｃｇ，Ｌｃｂ，Ｌｃｍ，Ｌｃｗをその順に周期的に射出する。また、カラーホイール３０は、ランプ１０から射出された光Ｌを位置ＬＳ２に受けたときには、赤（Ｒ）、緑（Ｇ）、青（Ｂ）、マゼンタ（Ｍ）の色光Ｌｃｒ，Ｌｃｇ，Ｌｃｂ，Ｌｃｍをその順に周期的に射出する。
【００３２】
図３は、第１実施例のプロジェクタ１の第２の状態を示す図である。図１と同様、図３においても、右側にプロジェクタ１の主な構成を示し、左側にカラーホイール３０と光Ｌが照射される範囲ＬＳの関係を示す。切換部５０は、モータ４０を積載するキャリッジ５１０と、キャリッジ５１０を直線的に移動させるためのガイドレール５２０と、一部をキャリッジ５１０に取り付けられた無端の駆動ベルト５４０と、駆動ベルト５４０を張るプーリ５５０，５５０と、一方のプーリ５５０を双方向に回転させるモータ５６０とを有する。
【００３３】
モータ５６０によってプーリ５５０が双方向に回転され、駆動ベルト５４０が双方向に駆動されると、キャリッジ５１０は、ガイドレール５２０上を直線的に双方向に移動する。その結果、カラーホイール３０とモータ４０は、ランプ１０から射出された光Ｌから遠い第１の位置と（図１参照）、第１の位置よりもランプ１０から射出された光Ｌに近い第２の位置と（図３参照）、をとりうる。
【００３４】
カラーホイール３０が第１の位置にあるときには、ランプ１０から射出された光Ｌは、カラーホイール３０の範囲ＬＳ１に照射される（図１および図２参照）。カラーホイール３０が第２の位置にあるときには、ランプ１０から射出された光Ｌは、カラーホイール３０の範囲ＬＳ２に照射される（図２および図３参照）。
【００３５】
光学系６０は、ライトパイプ６１０、レンズ６２０，６３０，６４０を有する。光学系６０は、カラーホイール３０から射出された色光Ｌｃを、ＤＭＤ７０に伝える。
【００３６】
ＤＭＤ７０は、多数の微小な鏡を長方形状に配置された素子である。各鏡は二つの角度に保持されることができる。一つの角度は、光学系６０から受けた光Ｌｃを鏡で反射させて、光学系８０に伝えることができる角度である。鏡により反射されて光が光学系８０に伝えられる状態を、本明細書において「ＯＮ」の状態と呼ぶ。他の一つの角度は、光学系６０から受けた光Ｌｃを鏡で反射せず、ＤＭＤ７０において吸収する角度である。鏡により反射されず光が光学系８０に伝えられない状態を、本明細書において「ＯＦＦ」の状態と呼ぶ。
【００３７】
ＤＭＤ７０は、制御部９０に制御されて、それらの多数の鏡の角度を操作する。そして、ＤＭＤ７０は、光学系６０から受けた光Ｌｃの一部を反射させて光学系８０に向けて射出し、他の一部を吸収する。その結果、色光Ｌｃの反射光Ｌｉには、表示すべき画像に応じた強弱の変化（ＯＮ／ＯＦＦ）が設けられる。すなわち、ＤＭＤ７０の一つの鏡が、投射される画像の一つの画素に相当する。
【００３８】
ＤＭＤ７０は、カラーホイール３０が回転することによって色光Ｌｃｒ，Ｌｃｇ，Ｌｃｂなどが順に射出されるタイミングに同期して、各鏡を制御する。すなわち、ＤＭＤ７０は、カラーホイール３０による色光の発生タイミングと同期して、画像に基づく光に付す強弱の変化（模様）を切り換える。
【００３９】
光学系８０は、投射用のレンズである。ＤＭＤ７０で反射された色光Ｌｉは、光学系８０を経てスクリーン１００に投射される。スクリーン１００には、カラーホイール３０の回転に応じて、赤（Ｒ）、緑（Ｇ）、青（Ｂ）などの色光による画像が順に投射される。
【００４０】
制御部９０は、光源１０、モータ４０、切換部５０、光学系６０、ＤＭＤ７０、光学系８０を制御する。その結果、スクリーン１００上には、赤（Ｒ）、緑（Ｇ）、青（Ｂ）などの色光による画像が順に投射される。スクリーン上に順に投射される各色の色光による画像は、人間の目には、それらの色光による画像が重ね合わされて生成されるカラー画像として認識される。
【００４１】
Ａ２．プロジェクタの動作モード：
プロジェクタ１の制御部９０は、第１と第２のモードでスクリーン上に画像を投射することができる。第１のモードは、たとえば、表、グラフ、文章など、背景が白い静止画を表示することが多いプレゼンテーションに適したモードである。一方、第２のモードは、芸術作品の紹介や風景など、色の階調表現が重視されるべき画像を表示するのに適しているモードである。
【００４２】
第１のモードにおいては、カラーホイール３０は、図１に示す第１の状態にある。すなわち、光Ｌから遠い位置にある。このとき、カラーホイール３０は、赤、緑、青、マゼンタ、白の色光Ｌｃｒ，Ｌｃｇ，Ｌｃｂ，Ｌｃｍ，Ｌｃｗをその順に周期的に射出する（図２参照）。
【００４３】
表示すべき画像のうち、白を表示すべき部分については、制御部９０は、ＤＭＤ７０を以下のように動作させる。すなわち、赤、緑、青の色光Ｌｃｒ，Ｌｃｇ，Ｌｃｂを、互いの色を打ち消して無彩色になる時間比率でＯＮにする。さらに、白色光ＬｃｗをＯＮにする。そして、それら赤、緑、青、白の色光Ｌｃｒ，Ｌｃｇ，Ｌｃｂ，Ｌｃｗは、カラーホイール３０の回転に沿って、連続してＯＮとされる。
【００４４】
なお、「複数の光を連続して射出する（ＯＮとする）」とは、カラーホイールで各光を射出できるタイミングに沿って、複数の光を、互いに最も近接したタイミングで射出することを意味する。たとえば、「光Ａと光Ｂと光Ｃとを連続して照射する」という場合には、「光Ａを射出した後、光Ｂを射出できる状態において光Ｂを射出せずに、その後光Ｃを射出してから光Ｂを射出する」場合は含まれない。
【００４５】
ただし、各光を射出できる状態において、どの程度の時間、その光を射出するかは問わない。すなわち、たとえば、光Ａと光Ｂと光Ｃとをその順で射出する際に、光Ｂを射出できる時間のすべてにおいて光Ｂを射出する必要はない。たとえば、光Ｂを射出できる時間のうち、所定時間は光Ｂを射出せず、その後、光Ｂを射出し、その後、光Ｃを射出してもよい。
【００４６】
また、本明細書において、「光Ａと光Ｂと光Ｃとを連続して射出する」とは、光Ａ、光Ｂ、光Ｃをその順に射出する態様に限定することを意味しない。たとえば、カラーホイールの構成上、光Ａ、光Ｃ、光Ｂの順で射出が可能となる場合には、光Ａ、光Ｃ、光Ｂの順で射出しても、「光Ａと光Ｂと光Ｃとを連続して射出する」に該当する。光の射出の順番は、カラーホイールの構成に応じて任意である。すなわち、「光Ａと光Ｂと光Ｃとを連続して射出する」とは、カラーホイールにおいて各光を射出できるタイミングに沿って、互いに最も近接したタイミングで光Ａと光Ｂと光Ｃとを射出することを意味する。４色以上の色光の場合についても同様である。
【００４７】
プロジェクタ１が第２のモードにあるときには、カラーホイール３０は、図３に示す第２の状態にある。すなわち、カラーホイール３０は、第１の状態に比べて光Ｌに近い位置にある。このとき、カラーホイール３０は、赤、緑、青、マゼンタの色光Ｌｃｒ，Ｌｃｇ，Ｌｃｂ，Ｌｃｍをその順に周期的に射出する（図２参照）。なお、カラーホイールと光との距離は、カラーホイールの回転軸と光との最短距離で測定されるものとする。
【００４８】
表示すべき画像のうち、白を表示すべき部分については、制御部９０は、ＤＭＤ７０に、以下のように動作させる。すなわち、赤、緑、青の色光Ｌｃｒ，Ｌｃｇ，Ｌｃｂを、互いの色を打ち消して無彩色となる時間比率でＯＮにする。そして、それら赤、緑、青の色光Ｌｃｒ，Ｌｃｇ，Ｌｃｂは、連続してＯＮとされる。
【００４９】
ここでは、理解を容易にするために、カラーホイール３０の構成を最も単純化した例で説明する。カラーホイール３０の構成は以下のようなものであるとする。また、単色部の境界におけるＤＭＤ７０の処理の説明も、理解を容易にするために省略する。
（ｉ）第１の色系列部３１０の赤、緑、青、マゼンタ、白に対応する単色部３１１〜３１５が、回転軸Ａｘを中心に１／５ずつ、すなわち、回転軸Ａｘを中心に７２度ずつの範囲について設けられているとする。
（ｉｉ）第２の色系列部３２０の赤、緑、青、マゼンタに対応する単色部３２１〜３２４が、回転軸Ａｘを中心に１／４ずつ、すなわち、回転軸Ａｘを中心に９０度ずつの範囲について設けられているとする。
（ｉｉｉ）第１の色系列部３１０の単色部３１１〜３１３は、単色部３１１〜３１３が射出する赤、緑、青の色光ＬｃがそれぞれＤＭＤ７０において最大時間（７２°分）だけＯＮとされると、互いに色を打ち消しあうことができるような色光を射出するように構成されている。
（ｉｖ）第２の色系列部３２０の単色部３２１〜３２３は、単色部３２１〜３２３が射出する赤、緑、青の色光ＬｃがそれぞれＤＭＤ７０において最大時間（９０°分）だけＯＮとされると、互いに色を打ち消しあうことができるような色光を射出するように構成されている。
【００５０】
第１のモードにおいては、画像中で白を表示すべき部分については、赤、緑、青、白の色光が最大時間ＯＮとされる。その結果、それぞれ７２°ずつの４個の単色部３１１〜３１４からの色光Ｌｉｒ（赤），Ｌｉｇ（緑），Ｌｉｂ（青），Ｌｉｗ（白）がＯＮとなる。すなわち、角度範囲にして合計２８８°に相当する時間だけ色光ＬｉがＯＮとなる。
【００５１】
これに対して、第２のモードにおいては、画像中で白を表示すべき部分については、赤、緑、青の色光Ｌｉが最大時間ＯＮとされる。その結果、それぞれ９０°ずつの３個の単色部３２１〜３２３からの色光Ｌｉｒ（赤），Ｌｉｇ（緑），Ｌｉｂ（青）がＯＮとなる。すなわち、角度範囲にして合計２７０°に相当する時間だけ色光ＬｉがＯＮとなる。
【００５２】
よって、色光がＯＮとなっている角度範囲が長い（２８８°＞２７０°）第１のモードの方が、第２のモードよりも明るい「白」をスクリーン１００上に再現できる。
【００５３】
なお、各単色部が射出する色光Ｌｃｒ，Ｌｃｇ，Ｌｃｂ，Ｌｃｗの明るさは、実際には色光ごとに異なる。そして、本実施例においては、各色光Ｌｃｒ，Ｌｃｇ，Ｌｃｂ，Ｌｃｗの中で白色光Ｌｃｗが最も明るい。よって、スクリーン１００上で「白」を表現する際に赤、緑、青の色光Ｌｉｒ，Ｌｉｇ，Ｌｉｂに加えて、さらに白の色光ＬｉｗをＯＮとする第１のモードの「白」の方が、実際には、角度の比率（２８８°：２７０°）以上に第２のモードで再現される「白」よりも明るくなる。
【００５４】
よって、第１のモードは、表、グラフ、文章など、背景が白い静止画を表示することが多いプレゼンテーションに適している。
【００５５】
一方、第２のモードは、各色を白色光を使用せずに表現する。たとえば、色相と彩度が一定で明度のみが異なるグラデーションを表現する際に、色の変化の途中から白色光が使用されることがない。よって、見る者が自然に感じられる色の変化を表現することができる。よって、第２のモードは、芸術作品の紹介や自然の風景など、色の階調表現を重視すべき画像を表示するのに適している。
【００５６】
以上で説明したように、第１実施例のプロジェクタは、白の表現に優れ、プレゼンテーションに適した第１のモードと、色の階調表現に優れ、芸術作品の紹介や風景などの表示に適した第２のモードとを備える。このため、色再現に関する要求が異なる画像の表示を、一つのカラーホイールで実現することができる。
【００５７】
なお、第１実施例では、理解を容易にするために、カラーホイール３０の構成を上記（ｉ）〜（ｉｖ）のように単純化した。しかし、カラーホイール３０が上記（ｉ）〜（ｉｖ）のような構成を有していない場合についても、白色光を射出する単色部を備える第１の色系列部と、第１の色系列部における白色光以外の各単色部と同数の単色部を備え、白色光を射出する単色部を備えない第２の色系列部と、を有するカラーホイールを備えたプロジェクタについては、一般に、以上で説明した効果を奏することができる。
【００５８】
Ｂ．第２実施例：
Ｂ１．装置の構成：
図４は、第２実施例のプロジェクタ１ｂが有するカラーホイール３０ｂの平面図である。第２実施例のプロジェクタ１ｂは、カラーホイール３０（図２参照）に代えてカラーホイール３０ｂを備えている。第２実施例の他の点は、第１実施例と同じである。
【００５９】
カラーホイール３０ｂは、回転軸Ａｘから距離ｒ２の位置に、第２の色系列部３２０に代えて、円環状に配される第３の色系列部３３０を有している。カラーホイール３０ｂは、他の構成についてはカラーホイール３０と同じである。第３の色系列部３３０にも、誘電体多層膜が設けられている。その誘電体多層膜によって、第３の色系列部３３０に照射された光Ｌは、明るさが調整される。なお、図４においても、カラーホイール３０ｂの構成の理解を容易にするため、第１の色系列部３１０と第３の色系列部３３０には、ハッチを付さずに示している（図１、図３参照）。
【００６０】
第３の色系列部３３０は、それぞれ異なる角度範囲に、互いに異なる明るさの光Ｌｇｙ，Ｌｇｙ２，Ｌｇｙ３を射出する３個の単色部３３１〜３１３を有している。単色部３２１は、ランプ１０から射出された光Ｌを受けて、所定の明るさの光Ｌｇｙ１を射出する。単色部３３２は、ランプ１０から射出された光Ｌを受けて、光Ｌｇｙ１よりも暗い光Ｌｇｙ２を射出する。単色部３３２は、ランプ１０から射出された光Ｌを受けて、光Ｌｇｙ２よりも暗い光Ｌｇｙ３を射出する。なお、各光Ｌｇｙ，Ｌｇｙ２，Ｌｇｙ３を区別せずに総称する場合には、符号Ｌｇｙを用いる。
【００６１】
カラーホイール３０ｂにおいて、最も暗い範囲の黒〜グレーに対応する単色部３３３、中間の範囲のグレーに対応する単色部３３２、最も明るい範囲のグレー〜白に対応する単色部３３１は、回転軸Ａｘを中心にそれぞれ１／３ずつ、すなわち、１２０度ずつの角度範囲に設けられている。
【００６２】
カラーホイール３０ｂは、モータ４０によって回転される。カラーホイール３０ｂは、ランプ１０から射出された光Ｌを位置ＬＳ２に受けたときには、無彩色の光Ｌｇｙ，Ｌｇｙ２，Ｌｇｙ３をその順に周期的に射出する（図４参照）。
【００６３】
Ｂ２．プロジェクタの動作モード：
プロジェクタ１ｂの制御部９０は、第１と第２のモードでスクリーン上に画像を投射することができる。第１のモードは、カラー画像を表示するモードである。第２実施例の第１のモードは、第１実施例の第１のモードと等しい。一方、第２実施例の第２のモードは、モノクロ画像を表示するモードである。
【００６４】
第２実施例の第２のモードにおいては、カラーホイール３０は、図３に示す第２の状態にある。第２のモードにおいて、制御部９０は、ＤＭＤ７０に、以下のように動作させる。すなわち、表示すべきモノクロ画像中の画素のうち、最も明るい階調値から約１／３の範囲にある階調値を有する画素については、単色部３３１を経て射出された光Ｌｇｙ１を使用して表現される。たとえば、画素の明るさが黒を０とし、白を２５５とする０〜２５５の階調で表されるとき、階調値１７０〜２５５は、光Ｌｇｙ１を使用して表現される。
【００６５】
階調値１７０〜２５５のそれぞれの無彩色は、ＤＭＤ７０において光Ｌｇｙ１をＯＮとする時間を調整することで表現される。すなわち、階調値２５５の色（白）は、光Ｌｇｙ１を最も長時間ＯＮとすることで表現される。階調値１７０の色（グレー）は、光Ｌｇｙ１を最も短い時間ＯＮとすることで表現される。
【００６６】
表示すべきモノクロ画像中の画素のうち、最も暗い階調値から約１／３の範囲にある階調値を有する画素については、単色部３３３を経て射出された光Ｌｇｙ３を使用して表現される。たとえば、画素の明るさが０〜２５５の階調で表されるとき、階調値１〜８５は、光Ｌｇｙ３を使用して表現される。
【００６７】
階調値１〜８５のそれぞれの無彩色は、光Ｌｇｙ３をＯＮとする時間を調整することで表現される。すなわち、階調値１の色（グレー）は、光Ｌｇｙ３を最も短い時間ＯＮとすることで表現される。階調値８５の色（グレー）は、光Ｌｇｙ３を最も長時間ＯＮとすることで表現される。なお、階調値０の色（黒）は、ＤＭＤ７０において光を反射させない（ＯＮにしない）ことで実現される。
【００６８】
モノクロ画像中の画素のうち、中間の約１／３の範囲にある階調値を有する画素については、単色部３３２を経て射出された光Ｌｇｙ２を使用して表現される。たとえば、画素の明るさが０〜２５５の階調で表されるとき、階調値８６〜１６９は、光Ｌｇｙ３を使用して表現される。
【００６９】
階調値８６〜１６９のそれぞれの無彩色は、光Ｌｇｙ２をＯＮとする時間を調整することで表現される。すなわち、階調値８６の色（グレー）は、光Ｌｇｙ２を最も短い時間ＯＮとすることで表現される。階調値１６９の色（グレー）は、光Ｌｇｙ２を最も長時間ＯＮとすることで表現される。
【００７０】
このように、第２実施例の第２のモードにおいては、表示すべき画像中の画素の明るさに応じて各単色部による無彩色光を使い分けて、無彩色の各階調の表現を行う。よって、有彩色（赤、緑、青など）の色光を合成してモノクロ画像を表示する態様のように、ユーザが投射された画像中に色味を感じたり、ちらつきを感じたりする可能性が低い。よって、第２のモードは、モノクロ写真やモノクロの映画などを表示するのに適している。
【００７１】
また、第３の色系列部は有彩色光を射出するための単色部を有していない。このため、第２実施例のプロジェクタは、カラーホイールの広い角度範囲を使用して各階調の無彩色光を再現することができる。すなわち、各無彩色光をＯＮにする時間を長く取ることができる。よって、第３の色系列部が有彩色光を射出するための単色部を有している態様に比べて、モノクロ画像の明るい部分を明るく表現することができる。第２のモードは、この点でも、モノクロ写真やモノクロの映画などを表示するのに適している。
【００７２】
一方、第１の色系列部は無彩色光を射出するための単色部を２以上有していない。このため、カラーホイールの広い角度範囲を使用して各階調の有彩色を再現することができる。すなわち、各有彩色をＯＮにする時間を長く取ることができる。よって、第１の色系列部が無彩色光を射出するための単色部を２以上有している態様に比べて、カラー画像の明るい部分を明るく表現することができる。
【００７３】
すなわち、第２実施例のプロジェクタは、カラー画像を表示することができる第１のモードと、モノクロ写真やモノクロの映画などの表示に適した第２のモードとを備える。このため、色再現に関する要求が異なる画像の表示を、一つのカラーホイールで実現することができる。
【００７４】
Ｃ．変形例：
なお、この発明は上記の実施例や実施形態に限られるものではなく、その要旨を逸脱しない範囲において種々の態様において実施することが可能であり、例えば次のような変形も可能である。
【００７５】
Ｃ１．変形例１：
上記実施例においては、カラーホイール３０，３０ｂは、ランプ１０から射出された光を透過させている（図１および図３参照）。しかし、カラーホイールは、光源から射出された光を反射して下流の光学系に伝える態様など、他の構成とすることもできる。すなわち、カラーホイールは、回転されつつ、光源が射出した光を受けて、互いに異なる複数の色の光を順に射出することができる構成であればよい。
【００７６】
白色光を射出する単色部は、受けた光の少なくとも一部を乱反射させて射出する態様とすることができる。また、白色光を射出する単色部は、受けた光をそのまま反射または透過させて射出する態様とすることもできる。なお、各単色部は、受けた光の位相を変えて射出する態様とすることもできる。
【００７７】
Ｃ２．変形例２：
上記第１実施例においては、第１の色系列部３１０の単色部３１１が射出する赤色光と、第２の色系列部３２０の単色部３２１が射出する赤色光とは、同じ赤色光である。すなわち、両者は、同じスペクトル分布を有する。しかし、第１の色系列部３１０の単色部３１１が射出する赤色光と、第２の色系列部３２０の単色部３２１が射出する赤色光とは、互いに異なるスペクトル分布を有することができる。他の対応する色光を射出する単色部についても同様である。
【００７８】
すなわち、第１の色系列部と第２の色系列部とは、一部に同じ色光を射出できる単色部を備える態様とすることができ、共通の色光を射出できる単色部を備えない態様とすることもできる。ただし、各色系列部は、互いに色相が異なる複数の有彩色の光を射出できる構成とすることが好ましい。そして、各色系列部は、互いに色相が異なる３色以上の有彩色の光を射出できる構成とすることがより好ましい。たとえば、それらの色光の有彩色は、赤系の色光、緑系の色光、青系の色光とすることができる。
【００７９】
また、上記実施例では、一つの色系列部内において各単色部が設けられている角度範囲は、互いに等しい（図２および図４参照）。しかし、一つの色系列部内において各単色部が設けられている角度範囲は、色ごとに異なるものとすることができる。
【００８０】
上記実施例では、第１の色系列部は、赤（Ｒ）、緑（Ｇ）、青（Ｂ）、マゼンタ（Ｍ）、白（Ｗ）の色光Ｌｃｒ，Ｌｃｇ，Ｌｃｂ，Ｌｃｍ，Ｌｃｗを射出することができる。しかし、各色系列部が射出できる有彩色の色光の色は、任意の色とすることができる。たとえば、色光の色は、赤と、赤よりも暗いダークレッドとを含むことができる。そのような態様とすれば、夕陽や、赤い野菜などの赤色の濃度の階調表現を明確かつ広範囲に行うことができる。
【００８１】
また、たとえば、色系列部が射出できる色光の色は、赤（Ｒ）、緑（Ｇ）、青（Ｂ）などの３以上の有彩色に加えて、２以上の無彩色（たとえば、グレーと、グレーよりも暗いダークグレー）を含むこともできる。そのような態様とすれば、暗い水中のシーンや、夜に炎が燃えているシーンなどにおいて、カラー画像中の暗部を明確に再現することができる。
【００８２】
Ｃ３．変形例３：
上記実施例では、カラーホイール３０，３０ｂは、二つの色系列部を備える（図２および図４参照）。しかし、カラーホイールは、３以上の色系列部を備えることもできる。たとえば、第１実施例における第１の色系列部３１０と第２の色系列部３２０に加えて、第１の色系列部３１０、第２の色系列部３２０とは回転軸からの距離が異なる位置に、第２実施例における第３の色系列部３３０を備える態様とすることもできる。
【００８３】
Ｃ４．変形例４：
上記実施例では、カラーホイール３０，３０ｂの位置を変化させて、カラーホイール３０，３０ｂと、光Ｌとの相対位置を変化させている。その結果、第１と第２の状態が実現される（図１および図３参照）。しかし、光の位置（光路）を変えることによって、カラーホイールと光との相対位置を変化させてもよく、カラーホイールと光の両方の位置を変えることによって、カラーホイールと光との相対位置を変化させてもよい。
【００８４】
Ｃ５．変形例５：
上記実施例においては、光源としてのランプ１０が射出した光に表示すべき画像に応じて強弱の変化を付すための構成は、微小な鏡を多数備えた素子であるＤＭＤ（Digital Micro Mirror Device）７０である。しかし、光源が射出した光に、表示すべき画像に応じて強弱の変化を付すための構成は、他の態様とすることもできる。たとえば、液晶などの微小な遮蔽版を多数備え、光源が射出した光を受けて、一部を透過させず、他の一部を透過させることによって、画像に応じて光に強弱の変化を付す態様とすることもできる。
【００８５】
すなわち、光源が射出した光に、表示すべき画像に応じて強弱の変化を付すための構成は、光源が射出した光を受けて、受けた光の一部を射出せず、他の一部を射出することによって、表示すべき画像に応じて光に強弱の変化を付すことができる構成であればよい。
【００８６】
Ｃ６．変形例６：
上記実施例では、カラーホイール３０から射出された色光に、画像形成部としてのＤＭＤ７０によって、表示すべき画像に応じたＯＮ／ＯＦＦが設けられる。しかし、光源から射出された光に、まず、画像形成部によって、表示すべき画像に応じたＯＮ／ＯＦＦが設けられた後に、カラーホイールによって色が付されてもよい。すなわち、カラーホイールと画像形成部とは、光源から射出された光の光路において、一方が上流で他方が下流に位置する関係にあればよい。
【００８７】
Ｃ７．変形例７：
上記第１実施例では、第１のモードにおいて白色をスクリーン上で再現する場合には、赤（Ｒ）、緑（Ｇ）、青（Ｂ）、白（Ｗ）の色光を連続して射出する。しかし、カラーホイールがそれらの色以外の色（たとえば、マゼンタ）の色光を射出できる構成である場合には、白色をスクリーン上で再現する場合には、赤（Ｒ）、緑（Ｇ）、青（Ｂ）、白（Ｗ）以外の色の光を射出することもできる。ただし、有彩色の各色光は、互いの色を打ち消して無彩色となる比率で射出されることが好ましい。
【００８８】
Ｃ８．変形例８：
モノクロ画像の画像データであるのか、カラー画像の画像データであるのか、また、風景の画像であるのかグラフや表などの画像データであるのか、を表す情報を画像データが保持している場合には、制御部９０は、それらの情報を読み取り、それらの情報に基づいて自動的に第１のモードと第２のモードとを切り換えることが好ましい。上記のような画像に関する情報を画像データ中に格納する方式を定めた規格として、たとえば、Ｅｘｉｆ（Exchangeable Image File Format）がある。
【００８９】
Ｃ９．変形例９：
上記実施例において、ハードウェアによって実現されていた構成の一部をソフトウェアに置き換えるようにしてもよく、逆に、ソフトウェアによって実現されていた構成の一部をハードウェアに置き換えるようにしてもよい。例えば、制御部９０の機能の一部を、プロジェクタに接続され、プロジェクタを制御するホストコンピュータが実行するようにすることもできる。
【００９０】
このような機能を実現するコンピュータプログラムは、フロッピディスクやＣＤ−ＲＯＭ等の、コンピュータ読み取り可能な記録媒体に記録された形態で提供される。ホストコンピュータは、その記録媒体からコンピュータプログラムを読み取って内部記憶装置または外部記憶装置に転送する。あるいは、通信経路を介してプログラム供給装置からホストコンピュータにコンピュータプログラムを供給するようにしてもよい。コンピュータプログラムの機能を実現する時には、内部記憶装置に格納されたコンピュータプログラムがホストコンピュータのマイクロプロセッサによって実行される。また、記録媒体に記録されたコンピュータプログラムをホストコンピュータが直接実行するようにしてもよい。
【００９１】
この明細書において、ホストコンピュータとは、ハードウェア装置とオペレーションシステムとを含む概念であり、オペレーションシステムの制御の下で動作するハードウェア装置を意味している。コンピュータプログラムは、このようなホストコンピュータに、上述の各部の機能を実現させる。なお、上述の機能の一部は、アプリケーションプログラムでなく、オペレーションシステムによって実現されていても良い。
【００９２】
なお、この発明において、「コンピュータ読み取り可能な記録媒体」とは、フレキシブルディスクやＣＤ−ＲＯＭのような携帯型の記録媒体に限らず、各種のＲＡＭやＲＯＭ等のコンピュータ内の内部記憶装置や、ハードディスク等のコンピュータに固定されている外部記憶装置も含んでいる。
【図面の簡単な説明】
【００９３】
【図１】第１実施例のプロジェクタ１の第１の状態を示す図。
【図２】カラーホイール３０の平面図。
【図３】第１実施例のプロジェクタ１の第２の状態を示す図。
【図４】第２実施例のプロジェクタ１ｂが有するカラーホイール３０ｂの平面図。
【符号の説明】
【００９４】
１，１ｂ…プロジェクタ、１０…ランプ、２０…遮光板、３０，３０ｂ…カラーホイール、４０…モータ、５０…切換部、６０…光学系、７０…ＤＭＤ（Digital Micro Mirror Device）、８０…光学系、９０…制御部、１００…スクリーン、２１０…アパチャ、３１０…第１の色系列部、３１１…赤の色光を射出する単色部、３１２…緑の色光を射出する単色部、３１３…青の色光を射出する単色部、３１４…マゼンタの色光を射出する単色部、３１５…白色光を射出する単色部、３２０…第２の色系列部、３２１…赤の色光を射出する単色部、３２２…緑の色光を射出する単色部、３２３…青の色光を射出する単色部、３２４…マゼンタの色光を射出する単色部、３３０…第３の色系列部、３３１…最も明るい光を射出する単色部、３３２…中間の明るさの光を射出する単色部、３３３…最も暗い光を射出する単色部、５１０…キャリッジ、５２０…ガイドレール、５４０…駆動ベルト、５５０…プーリ、５６０…モータ、６１０…ライトパイプ、６２０，６３０，６４０…レンズ、Ａｘ…カラーホイール３０の回転軸、Ｌ…ランプが射出する光、ＬＳ…ランプが射出する光が照射される範囲、ＬＳ１…第１のモードにおいてランプの光が照射される範囲、ＬＳ２…第２のモードにおいてランプの光が照射される範囲、Ｌｃ…色光、Ｌｉ…画像による明暗が付された色光、ｒ１…回転軸Ａｘから第１の色系列部までの距離、ｒ２…回転軸Ａｘから第２、第３の色系列部までの距離
【図１】
2009222741.tif 000003
【図２】
2009222741.tif 000004
【図３】
2009222741.tif 000005
【図４】
2009222741.tif 000006